(57)【要約】      （修正有）【課題】エレベーターに故障が発生した場合、自動的に稼働してエレベーターのかご内部と外界環境との通話を進行して、早急的に救援できるエレベーター緊急救援インターカムシステムを提供する。【解決手段】かご内部に設けられる第１音声・動画像収集装置と、マイクロコントローラと、モニタリングプローブと、照明装置と、かごの頂部に設けられる独立電源と、送風装置と、かごの側辺に設けられる内部表示装置と、操作ボタンモジュールとを有する。前記第１音声・動画像収集装置、モニタリングプローブ及び操作ボタンモジュールの出力端はマイクロコントローラと連結されており、前記マイクロコントローラの出力端は、送風装置と内部表示装置とを連結し、独立電源は、照明装置、第１音声・動画像収集装置、モニタリングプローブ、マイクロコントローラ、内部表示装置にそれぞれ電力を供給する。マイクロコントローラには、通信モジュールが更に設けられいる。【選択図】図１
0003209305.tif 000002
【実用新案登録請求の範囲】
【請求項１】
かご内部に設けられる内部表示制御装置と、かご外部に設けられる外部表示制御装置とを備えるエレベーター緊急救援インターカムシステムであって、
前記内部表示制御装置は、かごの側辺に設けられる第１音声・動画像収集装置と、マイクロコントローラと、内部表示装置と、操作ボタンモジュールと、かごの頂部に設けられるモニタリングプローブと、照明装置と、独立電源と、送風装置とを有し、
前記外部表示制御装置は、第２音声・動画像収集装置と、外部表示装置とを有し、
前記第１音声・動画像収集装置、モニタリングプローブ及び操作ボタンモジュールの出力端はマイクロコントローラと連結されており、前記マイクロコントローラの出力端は、送風装置と内部表示装置とを連結し、
前記独立電源は、照明装置、第１音声・動画像収集装置、モニタリングプローブ、マイクロコントローラ、内部表示装置にそれぞれ電力を供給し、
前記マイクロコントローラには、通信モジュールが更に設けられており、通信モジュールは外部表示制御装置と連結されていることを特徴とするエレベーター緊急救援インターカムシステム。
【請求項２】
前記モニタリングプローブは、感光センサーであることを特徴とする請求項１に記載のエレベーター緊急救援インターカムシステム。
【請求項３】
前記操作ボタンモジュールは、室外警報ボタン、インターカムボタン、観察ボタン及び連動警報ボタンを有することを特徴とする請求項１に記載のエレベーター緊急救援インターカムシステム。
【請求項４】
前記内部表示装置は、画像スクリーン、拡声器及び階数スクリーンを有することを特徴とする請求項１に記載のエレベーター緊急救援インターカムシステム。
【請求項５】
前記画像スクリーンは液晶スクリーンであり、前記階数スクリーンはニキシー管であることを特徴とする請求項4に記載のエレベーター緊急救援インターカムシステム。
【請求項６】
前記独立電源は蓄電池であり、前記蓄電池は電池管理モジュールによって外部電源と連結されることを特徴とする請求項１に記載のエレベーター緊急救援インターカムシステム。
【請求項７】
前記送風装置はファンであることを特徴とする請求項１に記載のエレベーター緊急救援インターカムシステム。
【請求項８】
前記通信モジュールは、ケーブルによって外部表示装置と連結される有線ポートモジュールと、WiFiモジュール又は3G/4Gネットワークモジュールを使用する無線ポートモジュールとを有することを特徴とする請求項１に記載のエレベーター緊急救援インターカムシステム。
【考案の詳細な説明】
【技術分野】
【０００１】
本考案は、エレベーターの製造分野に関するものであり、具体的には、エレベーター緊急救援インターカムシステムに関する。
【背景技術】
【０００２】
社会発展により、都市生活では高層ビルディング又は中高層ビルディングのオフィスが随所に見られるものとなり、生活の進歩に沿って、都市人口が増えると同時に高層ビルディング又は中高層ビルディングの住民区域を建設することも既に必然的な趨勢になって、エレベーターは普遍化した。高層ビルディング又は中高層ビルディングの内部では、階段を上下する道具としてエレベーターを利用する。エレベーターの応用が逐日に増加することにより、人々はその作動の安全性、信頼性を非常に注目している。
【０００３】
エレベーターの作動は、一般的にエレベーター監視室によってリアルタイム監視を行っている。しかし、エレベーター送信エラー及び電源供給切りが出た場合、エレベーターの外部人員はエレベーター内部人員の状況を了解できず、特に、使用年限が長く古いエレベーターと、安全憂慮が存在するエレベーターは、エレベーター部品の老化又は他の装置によって、エレベーター事故が頻繁に発生してしまい、非常に人々の生活に不便をかける。
【０００４】
現在のエレベーター応急方案としては、応急電源を提供することである。エレベーターに故障が発生した場合、応急電源を通じてエレベーターをレベリングしてから救援措置を取る。しかし、エレベーター故障が即時に発見されて処理できなかった場合には、エレベーター内部にいる人員が長期間に密閉空間に置かれ、安全にかかる事故が発生する可能性が高くなり、エレベーター外部の人員はエレベーター内部の状況に対して了解することができず、救援時期を逃す可能性もある。
【考案の概要】
【考案が解決しようとする課題】
【０００５】
上記従来技術の有する不足点を解決するために、本考案は、エレベーターに故障が発生した場合、自動的に稼働してエレベーターのかご内部と外界環境との通話を進行して、早急的に救援できるエレベーター緊急救援インターカムシステムを提供する。
【課題を解決するための手段】
【０００６】
本考案は、かご内部に設けられる内部表示制御装置と、かご外部に設けられる外部表示制御装置とを備えるエレベーター緊急救援インターカムシステムであって、前記内部表示制御装置は、かごの側辺に設けられる第１音声・動画像収集装置と、マイクロコントローラと、内部表示装置と、操作ボタンモジュールと、かごの頂部に設けられるモニタリングプローブと、照明装置と、独立電源と、送風装置を有し、前記外部表示制御装置は、第２音声・動画像収集装置と、外部表示装置とを有し、前記第１音声・動画像収集装置、モニタリングプローブ及び操作ボタンモジュールの出力端はマイクロコントローラと連結されており、前記マイクロコントローラの出力端は、送風装置と内部表示装置とを連結し、前記独立電源は、照明装置、第１音声・動画像収集装置、モニタリングプローブ、マイクロコントローラ、内部表示装置にそれぞれ電力を供給し、前記マイクロコントローラには、通信モジュールが更に設けられており、通信モジュールは外部表示制御装置と連結されていることを特徴とするエレベーター緊急救援インターカムシステムである。
更に、前記モニタリングプローブは、感光センサーである。
更に、前記操作ボタンモジュールは、室外警報ボタン、インターカムボタン、観察ボタン及び連動警報ボタンを有する。
更に、前記内部表示装置は、画像スクリーン、拡声器及び階数スクリーンを有する。
更に、前記画像スクリーンは液晶スクリーンであり、前記階数スクリーンはニキシー管である。
更に、前記独立電源は蓄電池であり、前記蓄電池は電池管理モジュールによって外部電源と連結される。
更に、前記送風装置はファンである。
更に、通信モジュールは、ケーブルによって外部表示装置と連結される有線ポートモジュールと、WiFiモジュール又は3G/4Gネットワークモジュールを使用する無線ポートモジュールとを有する。
【考案の効果】
【０００７】
本考案におけるエレベーター緊急救援インターカムシステムは、内部表示装置と操作ボタンモジュールが埋込式モジュールで設けられているため、既存のエレベーター内部に設けられることができ、新たにエレベーター構造を設計する必要がない。また、既に設けられたエレベーター内部で、エレベーター内部に設けられている本来の監視装置、照明装置及び通風装置を利用することができる。更に、本来の監視装置、照明装置及び通風装置を該制御システムに連結すればよい。よって、製造コストが大幅に低下して、資源を節約することができる。特に、古いエレベーターに対し、該システムをエレベーター内部に埋め込むことだけで、エレベーター内部の設備と結合して有効に回路と連結し、エレベーターの本来の設備を充分に利用できる。よって、コストを減少し、創造性も高くて、取付が易くなり、実施することも便利になる。
【０００８】
エレベーター応急システムを設置することで、エレベーターに故障が発生した時、応急照明とモニタリングプローブが自動的に稼働すると同時に、ファンの酸素提供機能をスタートしてエレベーターのかご内部の人員の呼吸困難問題を大幅に解決でき、救援するに更に多い時間と空間を勝ち取ることができる。また、第１音声・動画像収集装置はかご内部環境のデータを収集し、外部人員が即時にエレベーター内部の生存状態を了解することができる。第２音声・動画像収集装置を通じてかご外部環境のデータを収集し、かご内部人員は内部表示装置を通じてかご外部環境を観察して、かご内部と外部との画像インターカムができるので、救援が一層便利になる。
【０００９】
通信モジュールにはいろんなポートモジュールが設置されており、様々な通信接続に適用でき、有線接続を利用して、第１音声・動画像収集装置を外部表示装置に、第２音声・動画像収集装置を内部表示装置に通信接続する。また、無線接続を利用して、かご内部と外部が無線通信を行うことができる。その同時に、WiFi無線ポートモジュールを設けることで、かご内部の人員にWiFi情報を提供し、外界とのコミュニケーションが便利になる。
【図面の簡単な説明】
【００１０】
【図１】本考案におけるエレベーター緊急救援インターカムシステムの制御構造の図。
【図２】本考案におけるエレベーター緊急救援インターカムシステムの設置構造図。
【図３】本考案における前記内部表示装置と操作ボタンモジュールの拡大図。
【考案を実施するための形態】
【００１１】
以下、図面及び実施例を結合して本考案の実施するための形態に対して説明する。
図１は、本考案におけるエレベーター緊急救援インターカムシステムの制御構造の図であり、図２は、考案におけるエレベーター緊急救援インターカムシステムの設置構造図であり、図3は、本考案における前記内部表示装置と操作ボタンモジュールの拡大図である。
【００１２】
図1乃至図3に示すように、本考案におけるエレベーター緊急救援インターカムシステムは、かご1の内部に設けられる内部表示制御装置と、かご1の外部に設けられる外部表示制御装置とを備える。該内部表示制御装置は、かご1の一側に設けられる第１音声・動画像収集装置2と、マイクロコントローラと、内部表示装置7と、操作ボタンモジュール8とを有し、かご1の頂部に設けられるモニタリングプローブ3と、照明装置4と、独立電源5と、送風装置6を有し、前記外部表示制御装置は、第２音声・動画像収集装置と、外部表示装置とを有し、前記第１音声・動画像収集装置2、モニタリングプローブ3及び操作ボタンモジュール8の出力端はマイクロコントローラに連結されており、前記マイクロコントローラの出力端は、送風装置6と内部表示装置7とを連結し、前記独立電源5は、照明装置4、第１音声・動画像収集装置2、モニタリングプローブ3、マイクロコントローラ及び内部表示装置7に電力を供給する。前記マイクロコントローラは、通信モジュールも有し、通信モジュールと外部表示制御装置とが連結されている。
【００１３】
本考案の実施例において、エレベーター応急システムを設けることで、かご内部に設けられたモニタリングプローブがエレベーターに故障が発生したことを検測した場合、独立電源が電力を供給して、緊急救援インターカムシステムが稼働し、かご頂部に設けられた照明装置が点いてかご内部に照明を与える。第１音声・動画像収集装置は、かご内の状態に対するデータを収集し、マイクロコントローラの通信モジュールに通じて外部表示装置に伝送する。よって、かご内部人員がエレベーター外部人員に救援信号を送信することが便利になり、外部人員に救援を要求できることになる。操作ボタンモジュールを設けることで、操作サービス又は警報救援サービスを選択することができる。かごの頂部には送風装置が設けられており、独立電源が電力を供給することで、かご内部に空气を進入させ、かご内部人員が長時間に密閉空間で酸素不足になって生命危険に至ることを防ぐことができる。
【００１４】
モニタリングプローブ3は、エレベーターに故障が発生したか否かを検測する。その検測の方法として、電力供給電源を検測することや、エレベーター内部の光照を検測することや、又は他の方法でエレベーターの故障の発生を検測することができる。エレベーターに故障が発生すると、その内部の照明が中断するため、光検測器でエレベーターの故障発生を検測することができる。モニタリングプローブ3として、感光センサーを使用することが好ましい。第１音声・動画像収集装置として、カメラ21と拾音器22をそれぞれ使用して、かご内部の画像と音声を収集することが好ましい。
【００１５】
操作ボタンモジュールには複数のボタンが設けられており、お互いに異なる使用機能を有することができる。本考案における操作ボタンモジュールは、少なくとも室外警報ボタン81、インターカムボタン82、観察ボタン83及び連動警報ボタン84を有する。複数のボタンを設けることで、いろんな装置と連結することができる。例えば、室外警報ボタンを通じて、通信モジュールは外部表示装置に向けてかご内部の画像情報を送信し、エレベーター外部人員が内部情况を了解することができる。インターカムボタンを通じて、エレベーター内部人員とエレベーター外部人員とがインターカムを実現できる。観察ボタンは、エレベーター外部に設けられている第２音声・動画像収集装置を稼働させる。内部表示装置を通じて、第２音声・動画像収集装置が収集した動画像情報を表示して、エレベーター内人員に対してエレベーター外部環境情報を提供する。また、連動警報ボタンを設けることで、エレベーター機械室、かご頂部、かご底部、かご内部及びエレベーター管理室に対して五方通話ができ、110警報申請もできる。
【００１６】
ボタンポートモジュール上のボタンにはボタン標識を設計すると同時に、点字を設計して、使用者が便利に使用できようにする。
【００１７】
内部表示装置7は、画像スクリーン71、拡声器72及び階数スクリーン73を有する。階数情報は、画像スクリーンによって表示され、独立に表示されることもできる。即ち、階数情報は独立に階数スクリーンによって表示され、画像スクリーンは画像情報を表示する。好ましくは、画像スクリーン71は液晶スクリーンであり、前記階数スクリーン73はニキシー管である。階数スクリーンは、現在のかごの階数を表示し、画像スクリーンを通じてエレベーター外部環境を観察でき、かご内部人員は外部に向かって救援を便利に要請することができる。
【００１８】
本考案の実施例において、独立電源5は蓄電池であり、前記蓄電池は電池管理モジュールを通じて外部電源とつながっている。独立電源として、蓄電池を使用し、独立に該応急システムに電力を供給し、その同時に、蓄電池管理システムを設けることで蓄電池の充電放電を制御する。エレベーターが正常的に作動する際に、エレベーター電力供給電源とつながって蓄電池を充電する。そのため、別に蓄電池を充電する必要がなく、使用が便利になる。
【００１９】
かご頂部には、送風装置が設けられており、エアコン又はファンなどの換気装置を使用できるが、コストを下げて、エネルギー源を節約するため、送風装置としてファンを使用することが好ましい。エレベーターが作動を止めた場合、ファンがかご内部に外気を進入させて換気する。
【００２０】
前記通信モジュールは有線ポートモジュールと無線ポートモジュールとを有する。有線ポートモジュールはケーブルによって外部表示装置と接続し、無線ポートモジュールとしてWiFiモジュール又は3G/4Gネットワークモジュールを利用する。
【００２１】
本考案の実施例において、通信モジュールに様々なポートモジュールを設置して、様々な通信接続に適用できる。有線接続を利用して、第１音声・動画像収集装置を外部表示装置に、第２音声・動画像収集装置を内部表示装置に通信接続する。また、無線接続を利用して、かご内部と外部が無線通信を行うことができる。その同時に、WiFi無線ポートモジュールを設けることで、かご内部の人員にWiFi情報を提供し、外界とのコミュニケーションが便利になる。
【００２２】
本考案の実施例において、内部表示装置と操作ボタンモジュールは埋込式モジュールで取り付ける。その場合、既存のエレベーター内部に取り付けることができ、新たにエレベーター構造を設計する必要がない。その同時に、取り付けられているエレベーター内部において、エレベーター内部の本来の監視装置、照明装置及び通風装置を利用することができる。本来の監視装置、照明装置及び通風装置を制御システムに連結すればよい。よって、コストを大幅に減少させることができ、資源を節約することができる。特に、古いエレベーターについて、該システムをエレベーター内部に埋め込むことだけで、エレベーター内部の設備と連結することで、有効的に回路連結を完成する。また、エレベーター本来の設備を充分に利用して、コストを減少でき、創意性が高くて、取付が便利になり、実施することも便利になる。
【００２３】
以上、図面を参照して本考案における好ましい実施形態を説明したが、本考案は前記の実施形態に限らない。当業者は、上述した実施形態以外にも、本考案の思想を脱してない範囲でいろいろな変更を行うことができる。
本考案の構想と範囲を脱してない範囲で行ったいろいろな修正方案と変更方案とも、無論、本考案の範囲に属し、本考案は特定の実施形態に限らない。本考案の範囲は以下の請求の範囲によって定義される。
【符号の説明】
【００２４】
1  かご、
2  第１音声・動画像収集装置、
3  モニタリングプローブ、
4  照明装置、
5  独立電源、
6  送風装置、
7  内部表示装置、
8  操作ボタンモジュール、
21  カメラ、
22  拾音器（pickup）、
71  画像スクリーン、
72  拡声器、
73  階数スクリーン、
81  室外警報ボタン、
82  インターカムボタン、
83  観察ボタン、
84  連動警報ボタン
【図１】
0003209305.tif 000003
【図２】
0003209305.tif 000004
【図３】
0003209305.tif 000005